(57)【要約】【課題】  郵便受に投入された封書等の小型郵便物が盗難されるのを防止するとともにその取出しを容易になし得るようにする。【解決手段】  郵便受Ａの受面に封書等の小型郵便物用の幅狭投入口２とそれ以外の大型郵便物用の幅広投入口３とを設置し，この幅狭投入口２の近傍に小型郵便物受体兼用の仕切体６を設置することによってボックス本体１内にそれぞれの収納部１０，１１を区分し，幅広投入口３から手を挿入しても仕切体６の小型郵便物を抜取れないようにする。仕切体６はその受面側端部をシャフト１５に回動自在に支持して，郵便物の取出しに際して専用収納部１０を手探りすることなく，該専用収納部１０の郵便物有無確認と容易な取出しができるようにする。【選択図】        図３
2005185694.tif 000002
【特許請求の範囲】
【請求項１】
ボックス本体前方の郵便受面に小型郵便物を投入する幅狭投入口と大型郵便物を投入する幅広投入口とによる縦向き複数の投入口を配置するとともにボックス本体内に該ボックス本体を幅方向に仕切り区画する仕切体を配置することによってボックス本体内に小型郵便物用と大型郵便物用の複数の専用収納部を形成してなることを特徴とする郵便受。
【請求項２】
上記仕切体を，底付きＬ字状，Ｕ字状又は箱状等の小型郵便物受体兼用のものとし且つ該仕切体をボックス本体後方の取出面側に対して回動自在又は引出自在に配置してなることを特徴とする請求項１に記載の郵便受。
【請求項３】
上記仕切体を，ボックス本体前方の郵便受面側で軸支するとともにボックス本体後方の取出面側で自由端とすることによってボックス本体内で回動自在としてなることを特徴とする請求項１又は２に記載の郵便受。
【請求項４】
上記幅狭投入口をボックス本体の郵便受面の上方から上下中間位置までの長さとし，上記幅広投入口をボックス本体の郵便受面の上方から下方に至る略全体に亘る長さとして並列配置してなることを特徴とする請求項１，２又は３に記載の郵便受。
【請求項５】
上記ボックス本体が，その郵便取出面に単一の取出蓋を備え，該取出蓋を開成することによって上記複数の収納部を同時に開放自在としてなることを特徴とする請求項１，２，３又は４に記載の郵便受。
【発明の詳細な説明】
【技術分野】
【０００１】
本発明は，郵便，新聞，宅配物等の郵便物を投入するように設置使用する郵便受に関する。
【背景技術】
【０００２】
この種郵便受は，一般にボックス本体と，該ボックス本体前方の郵便受面の上下中間位置に配置したスプリングで付勢することによって開口を常時閉塞するようにした単一の投入口と，ボックス本体後方の取出面側に配置し上端乃至側端をヒンジ連結した開閉蓋とを備えた金属製等のものとされている。
【０００３】
【特許文献１】特開２０００−３３３８１８号
【発明の開示】
【発明が解決しようとする課題】
【０００４】
この場合郵便物の投入に特段の支障はないが，開閉蓋があるとはいえ投入口は外部に開口しており，一般に新聞等の投入が可能なようにその幅は数ｃｍ程度の比較的広幅のものとされるから，投入口からボックス本体内に手を挿入することが可能であり，従ってボックス本体内の郵便物が外部から盗まれる可能性がある。郵便受によって投入受領するものは，商品カタログ，雑誌，新聞，回覧板，封書等，その厚さや面積の外径寸法が異なるもの，受領者にとって有価値や無価値の内容のもの等極めて多種にして多岐に亘るが，特に封書やハガキ等の信書の類いには，個人の秘密に属する内容のもの，各種通知書，請求書，領収書，クレジットカード等のように個人情報が記載されたものが含まれるとともに，これらが盗まれて予想外に利用される可能性もあり，この点郵便受は無防備のまま放置されているという状況にある。
【０００５】
本発明はかかる事情に鑑みてなされたもので，その解決課題とするところは，投入した郵便物，特に上記封書やハガキ等の信書の類いの盗難を防止し，そのセキュリティーを確保し得るようにした郵便受を提供するにある。
【課題を解決するための手段】
【０００６】
上記課題に添って本発明は，上記信書の類いが比較的薄く小面積の定型封筒に封入されたものか，ハガキであって，一般に小型郵便物であることから，郵便受にこの小型郵便物を専用に投入する幅狭投入口と，商品カタログ，雑誌等の比較的厚く大型の大型郵便物を専用に投入する幅広投入口の複数の投入口を縦方向に列設するように縦向きに配置し且つボックス本体内に仕切体を設置して該ボックス本体内を上記幅狭投入口と幅広投入口からの郵便物をそれぞれ専用に収納する複数の専用収納部に仕切り区画することによって，幅狭投入口から投入した小型郵便物が大型郵便物と混在するのを防止するとともに，例えば数ｃｍ程度の幅をなす幅広投入口から手を挿入しても，仕切体によって仕切られた小型郵便物用の専用収納部から投入された小型郵便物を抜き取ることができないようにして，その盗難防止を図るようにしたものであって，即ち請求項１に記載の発明は，これを，ボックス本体前方の郵便受面に小型郵便物を投入する幅狭投入口と大型郵便物を投入する幅広投入口とによる縦向き複数の投入口を配置するとともにボックス本体内に該ボックス本体を幅方向に仕切り区画する仕切体を配置することによってボックス本体内に小型郵便物用と大型郵便物用の複数の専用収納部を形成してなることを特徴とする郵便受としたものである。
【０００７】
請求項２に記載の発明は，上記に加えて，ボックス本体の仕切体で区分された小型郵便物専用の収納部から小型郵便物を後方の取出面側で取り出すには，該収納部を手探りする必要が生じる可能性があり，何が入っているか不明の該収納部に手を差し入れて手探りすることには，特に主婦等には抵抗を感じることも多いから，ボックス本体に配置した仕切体を幅狭投入口からの小型郵便物を受ける受体兼用とするとともに該受体兼用の仕切体を小型郵便物を収納した状態でボックス本体後方の取出口側に回動自在又は引出自在とし，手探りをすることなく容易に小型郵便物の有無の確認とその取り出しをなし得るものとするように，これを，上記仕切体を，底付きＬ字状，Ｕ字状又は箱状等の小型郵便物受体兼用のものとし且つ該仕切体をボックス本体後方の取出面側に対して回動自在又は引出自在に配置してなることを特徴とする請求項１に記載の郵便受としたものである。
【０００８】
請求項３に記載の発明は，同じく上記に加えて，上記受体兼用の仕切体を回動自在とするとともに可及的簡易な構造によりその回動を確実になし得るものとするように，これを，上記仕切体を，ボックス本体前方の郵便受面側で軸支するとともにボックス本体後方の取出面側で自由端とすることによってボックス本体内で回動自在としてなることを特徴とする請求項１又は２に記載の郵便受としたものである。
【０００９】
請求項４に記載の発明は，同じく上記に加えて，小型郵便物用の幅狭投入口をボックス本体の上方に短寸長さに配置することによって小型郵便物が，例えばボックス本体の高さに合せるように配置した小型郵便物用の専用収納部に落下しその下方に収納されることにより小型郵便物が幅狭投入口近傍に収納されることのないようにし，例えば道具を用いて幅狭投入口から小型郵便物を引き出し得ないものとする一方，大型郵便物の幅広投入口を該幅狭投入口より長くボックス本体の高さを有効に利用してその投入を容易になし得るものとするように，これを，上記幅狭投入口をボックス本体の郵便受面の上方から上下中間位置までの長さとし，上記幅広投入口をボックス本体の郵便受面の上方から下方に至る略全体に亘る長さとして並列配置してなることを特徴とする請求項１，２又は３に記載の郵便受としたものである。
【００１０】
請求項５に記載の発明は，同じく上記に加えて，郵便受けの小型収納部及び大型収納部を取出面側に設置した単一の取出蓋を開成することによって同時に開放してその双方の取り出しを可能としてその使い勝手を向上するように，これを，上記ボックス本体が，その郵便取出面に単一の取出蓋を備え，該取出蓋を開成することによって上記複数の収納部を同時に開放自在としてなることを特徴とする請求項１，２，３又は４に記載の郵便受としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，小型郵便物を専用に投入する幅狭投入口と，商品カタログ，雑誌等の比較的厚く大型の大型郵便物を専用に投入する幅広投入口の複数の投入口を縦方向に列設するように縦向きに配置し且つボックス本体内に仕切体を設置して該ボックス本体内を上記幅狭投入口と幅広投入口からの郵便物をそれぞれ専用に収納する複数の専用収納部に仕切り区画することによって，幅狭投入口から投入した小型郵便物が大型郵便物と混在するのを防止するとともに，例えば数ｃｍ程度の幅をなす幅広投入口から手を挿入しても，仕切体によって仕切られた小型郵便物用の専用収納部から投入された小型郵便物を抜き取ることができないようにして，その盗難防止を図るようにして，投入した郵便物，特に上記封書やハガキ等の信書の類いの盗難を防止し，そのセキュリティーを確保し得るようにした郵便受を提供することができる。
【００１３】
請求項２に記載の発明は，上記に加えて，小型郵便物受体兼用の仕切体が小型郵便物を収納した状態で，その取出面側で回動し又は取出面側に引き出すことによって手探りをすることなく容易に小型郵便物の有無の確認とその取り出しをなし得るものとすることができる。
【００１４】
請求項３に記載の発明は，同じく上記に加えて，上記受体兼用の仕切体を回動自在とするとともに可及的簡易な構造によりその回動を確実になし得るものとすることができる。
【００１５】
請求項４に記載の発明は，同じく上記に加えて，小型郵便物が幅狭投入口近傍に収納されることのないようにし，例えば道具を用いて幅狭投入口から小型郵便物を引き出し得ないものとするとともに大型郵便物の幅広投入口への大型郵便物の投入を容易になし得るものとすることができる。
【００１６】
請求項５に記載の発明は，同じく上記に加えて，郵便受けの小型収納部及び大型収納部を取出面側に設置した単一の取出蓋を開成することによって同時に開放してその双方の取り出しを可能としてその使い勝手を向上することができる。
【発明を実施するための最良の形態】
【００１７】
以下図面の例に従って本発明を更に具体的に説明すれば，Ａは例えば金属製とした郵便受であり，該郵便受Ａは，ボックス本体１前方の郵便受面に小型郵便物を投入する幅狭投入口２と大型郵便物を投入する幅広投入口３とによる縦向き複数の投入口を配置するとともにボックス本体１内に該ボックス本体１を幅方向に仕切り区画する仕切体６を配置することによってボックス本体１内に小型郵便物用と大型郵便物用の複数の専用収納部１０，１１を形成したものとしてあり，本例にあって上記ボックス本体１は，その郵便取出面にプッシュ錠２２付きとした単一の取出蓋２０を備え，該取出蓋２０を開成することによって上記複数の収納部１０，１１を同時に開放自在としたものとしてある。
【００１８】
本例のボックス本体１は，例えば縦と横の比率を４：１乃至３：１程度とした縦長箱体をなすものとし，背面に開閉自在の取出蓋２０を配置することによってして縦長長方形の郵便受Ａをなすものとしてあり，このとき前方の郵便受面に，本例にあって左右に投入口２，３を垂直に，例えば左右２列の複数列に並列するように縦長に平行配置してあり，本例にあって上記幅狭投入口２は，これをボックス本体１の郵便受面の上方から上下中間位置までの長さとし，上記幅広投入口１１をボックス本体１の郵便受面の上方から下方に至る略全体に亘る長さとしてあり，このとき図１に示すように幅広投入口３を郵便受面の幅方向中央近傍に配置する一方，幅狭投入口２を郵便受面の幅方向一側片側位置に配置してある。
【００１９】
幅狭投入口２は，例えば指の入らない１ｃｍ程度以下，本例にあっては数ｍｍ程度の左右に幅狭とし，長さを１５ｃｍ〜２０ｃｍ程度としてこれを小型郵便物投入用の投入口とし，幅広投入口１１は，例えば数ｃｍ程度の同じく左右に幅広とし，例えばＡ４サイズのカタログ等の投入にも支障のないように２０〜２５ｃｍ程度としてあり，例えばＡ４サイズのカタログ等の投入にも支障のないように長さを３０〜３５ｃｍ程度として，これを大型郵便物投入用の投入口としてある。またボックス本体１の各投入口１０，１１の背面にはスプリングによって各投入口２，３側に付勢した開閉蓋１２，１３を設置してあり，これによって雨水の吹込みや塵埃の侵入を防止するようにしてある。
【００２０】
ボックス本体１の幅方向中間位置には，上記仕切体６を垂直に配置してあり，該仕切体６によってボックス本体１内の空間を複数，本例にあっては幅方向に２分するように仕切り区画し，該ボックス本体１内に，幅狭投入口２からの小型郵便物を収納する小型郵便物用の専用収納部１０と，幅広投入口３からの大型郵便物を収納する大型郵便物用の専用収納部１１をそれぞれ形成し，上記取出蓋２０を開いてこれら専用収納部１０，１１からこれらに区分収納した郵便物をそれぞれ取出し自在としてある。
【００２１】
このとき本例の仕切体６は，これを，小型郵便物受体兼用のものとし且つ該仕切体６をボックス本体１後方の取出面側に対して回動自在に配置してあり，本例にあって該仕切体６は，これを，ボックス本体１前方の郵便受面側で軸支するとともにボックス本体１後方の取出面側で自由端とすることによってボックス本体１内で回動自在としたものとしてある。
【００２２】
小型郵便物受体兼用の仕切体６は，例えば底付きＬ字状，Ｕ字状又は箱状等のものとして幅狭投入口２からの小型郵便物を受けてこれが大型郵便物用の専用収納部１１に混在しないように収納可能のものとすればよいが，本例にあって該受体兼用の仕切体６を，例えば底付きＬ字状にしてボックス本体１内の高さ及び奥行と同等乃至これより幾分小さい寸法を有するように金属板を折曲して形成したものとしてあり，これによってボックス本体１側面の内壁との間で縦長にして小型郵便物を収納するに適した幅の専用収納部１０を形成するとともに該仕切体６を回動自在とすることによって上記取出蓋２０を開いたときに，その後方端部を指先で側方に押してその後方開放面の幅を拡大し，専用収納部１０に投入された小型郵便物の有無確認とその取出しを容易になし得るようにしてある。
【００２３】
本例にあって該仕切体６は，ボックス本体１前方の郵便受面側の内壁に上下を対とする止め金具１６を介して垂直のシャフト１５を起立設置し，該シャフト１５を支軸として該支軸に受体兼用の仕切体６の上下に張り出し形成した軸受板８の軸受孔を挿通して，これを郵便受面側で軸支して片持ち状に支持する一方，取出面側の後方端部をフリーとした自由端としてその回動自在の支持を行ってある。
【００２４】
このとき上記シャフト１５は，上記幅広投入口３に設置した開閉蓋１３の軸支回動用の支軸と兼用してあり，該シャフト１５にはその上方において上下方向に上から仕切体６の軸受板８，止め金具１６，開閉蓋１３の軸受金具１４を配置する一方，下方において逆に上下方向に上から開閉蓋１３の軸受金具１４，止め金具１６，仕切体６の軸受板８を配置して，上方においてシャフト１５の止め金具１６に上記仕切体６の軸受板８が，下方において開閉蓋１３の軸受金具１４がそれぞれ載置されるようにして，該兼用のシャフト１５に仕切体６と開閉蓋１３を同時に支持するようにしてある。
【００２５】
またシャフト１５にはその上下中間位置に，本例にあっては上下複数の２ヶ所に仕切体６の復帰用コイルばね１７，特にねじりコイルばねをボックス本体１との間に配置し，該ばね１７によって仕切体６を，専用収納部１０，１１を仕切り区画する前後方向に向けてボックス本体１の側面と平行とした定位置側に付勢するようにし，該仕切体６が，例えば道路振動等によって揺動して小型郵便物用の専用収納部１０から小型郵便物が大型郵便物の専用収納部１１に至ることのないようにするとともにその後方端部の自由端側で仕切体６を回動したとき，該仕切体６が上記定位置に自動復帰するようにしてある。
【００２６】
このとき該コイルばね１７も，上記シャフト１５におけると同様に幅広投入口３の開閉蓋１３の閉鎖用ばねと兼用してあり，本例にあってねじりコイルばね１７に配置した両側のアーム乃至フックの一方を，上記仕切体６を押圧するように，該仕切体６にボックス本体１幅方向に張出突出して設置したフィン９に対接乃至引掛係合し，他方を開閉蓋１３を押圧するようにの裏面に対接乃至引掛係合し，仕切体６を回動し又は開閉蓋１３を開成することによって蓄積された付勢力により仕切体６の定位置への自動復帰と開閉蓋１３の自動閉成を行なうようにしてある。
【００２７】
以上のように構成した本例の郵便受Ａは，仕切体６によって各専用収納部１０，１１を左右に区分して，各投入口１０，１１からの郵便物を，幅狭投入口２からの小型郵便物は受体兼用の仕切体６上の小型郵便物用の専用収納部１０に，これに並列する幅広投入口３からの大型郵便物は仕切体６外のボックス本体１の大半を占める大型郵便物用の専用収納部１１にそれぞれ区分収納することによって，小型郵便物が大型郵便物に混ざることがないようにしてあり，また幅広投入口３から手を挿入して小型郵便物を抜きとろうとしても，小型郵便物が大型郵便物とは区分されてその専用収納部１０に収納されており且つ仕切体６が該大型郵便物の専用収納部１１との仕切り区画を行なうことによってその抜取りが不可能であり，従って郵便物中から，特に個人情報等が含まれることの多い小型郵便物の盗難を防止してこれを保護することができる。また小型郵便物の受体を兼用する仕切体６を回動自在とすることによって，小型郵便物用の専用収納部１０を比較的薄く形成しても，その内部を手探りして郵便物の有無を確認する必要がなく，該仕切体６を取出面側の自由端を指先で横方向に押して回動させることによって小型郵便物の有無の確認と取出しを行なうことが可能となる。
【００２８】
なお図中４はコイルばね１７で閉成方向に付勢した該幅狭投入口２の開閉蓋１２を小型郵便物で押圧開成するのが困難なときに指先で押して該開閉蓋１２を開成し得るようにした開閉蓋開成用のプッシュボタン，５は，郵便受Ａの郵便受面に配置した幅狭投入口２上で，例えば「ハガキ／封書」とし，幅広投入口３上で，例えば「新聞／大型郵便物」とする如くに表示した投入口の対象郵便物表示，７は，本例において上記底付きＬ字状とした仕切体６の底面の開放側端部を立上げ起立して，特に回動時に小型郵便物が落下するのを防止するようにした起立壁，１８は，幅狭投入口２の開閉蓋１１軸支用のシャフト，１９はその軸受，２１は取出蓋２０に設置した透視窓，２４はプッシュ錠２２のラッチ２３を受けて施錠を行なう受金具を示す。
【００２９】
図示した例は以上のとおりとしたが，幅狭投入口又は幅広投入口を左右に複数配置するとともにその専用収納部を複数設置すること，幅狭投入口と幅広投入口を上下に同長にして異幅のものとすること，幅狭投入口２にその長手方向中央に幅を拡大することによって指先を差し込み可能とした透孔を設置して，該投入口が幅狭であるために小型郵便物が投入口近傍に引掛り状に半入れ状態となったときにこれをその専用収納部に差し入れ得るようにすること，仕切体を幅方向に専用収納部を固定的に仕切り区画するように固定板として設置すること，小型郵便物受体兼用の仕切体とするとき，これを上記底付きＬ字状以外に，例えばＵ字状又は箱状等のものとすること，このとき必要に応じて取出面側を開放して該開放口から小型郵便物を取出すようにし又は閉塞して上端の開放口から同じく小型郵便物を取出すようにすること，該受体兼用の仕切体を取出面側に引出自在とすること，このときその引出手段を，例えばボックス本体の天壁と底壁に対向配置し又は天壁に吊り配置したガイドレールに仕切体をスライド引出自在に配置して行なうようにすること，仕切体を回動自在とするときボックス本体に軸受を，仕切体に支軸を設置してその軸支を行なうこと，同じく仕切体を回動自在とするときボックス本体前方の郵便受面側に仕切体の垂直端部をヒンジ連結すること等を含めて，本発明の実施に当って，ボックス本体，幅狭投入口，幅広投入口，仕切体，これによって区分する各専用収納部，必要に応じて用いる単一の取出蓋等の各具体的形状，構造，材質，これらの関係，これらに対する付加等は，上記発明の要旨に反しない限り様々の形態とすることができる。
【図面の簡単な説明】
【００３０】
【図１】郵便受の正面図である。
【図２】郵便受の縦断面図である。
【図３】図２のＡ−Ａ線縦断面図である。
【図４】郵便受の背面図である。
【符号の説明】
【００３１】
Ａ  郵便受
１  ボックス本体
２  幅狭投入口
３  幅広投入口
６  仕切板
８  軸受板
１０，１１  専用収納部
１２，１３  開閉蓋
１５  シャフト
１７  コイルばね
２０  取出蓋
【図１】
2005185694.tif 000003
【図２】
2005185694.tif 000004
【図３】
2005185694.tif 000005
【図４】
2005185694.tif 000006